(57)【要約】【課題】従来のホルダー本体のヘッド部よりも小型で簡易な構造であり、更にストッパーがホルダー本体のヘッド部から容易に外れない機構を有する、歯科用工具を取り付けるためのホルダーを提供する。【解決手段】ホルダー１０は、ホルダー本体１と、少なくとも１つの挿入端部を有するストッパー４と、ストッパー用固定具５とを含み、ストッパー用収容孔に前記少なくとも１つの挿入端部を収容し、そして固定具用収容部においてストッパー用固定具５収容した状態において、前記ストッパーの挿入端部が、前記ストッパー用固定具５の側面と前記ストッパー用収容孔の収容面とによって挟み込まれていることを特徴とする。【選択図】図２
2020146092.tif 000002
【特許請求の範囲】
【請求項１】
ホルダー本体と、少なくとも１つの挿入端部を有するストッパーと、ストッパー用固定具とを含む、歯科用工具を取り付けるためのホルダーであって、
（Ａ）前記ホルダー本体が、
（１）ヘッド部と、
（２）前記挿入端部を前記ヘッド部において収容するための少なくとも１つのストッパー用収容孔と、
（３）前記ストッパー用固定具を収容するためのストッパー固定具用収容部であって、そのストッパー固定具用収容部が前記ストッパー用収容孔と隣接して設けられている、前記ストッパー固定具用収容部と
を含むこと、
前記収容孔が、貫通孔又は非貫通孔であること、
前記固定具用収容部の空間と前記ストッパー用収容孔の空間とが交わり、その交わりにおいて空間同士がつながっていること、
及び
（Ｂ）前記ストッパー用収容孔に前記ストッパーの挿入端部を収容し、そして前記固定具用収容部においてストッパー用固定具を収容した状態において、前記ストッパーの挿入端部が、前記ストッパー用固定具の側面と前記ストッパー用収容孔の収容面とによって挟み込まれていることを特徴とする、前記ホルダー。
【請求項２】
前記挿入端部が上部収容孔と下部収容孔とによって形成されており、その上部収容孔の深さ方向の中心軸とその下部収容孔の深さ方向の中心軸とが一致しておらず、そして、前記上部収容孔の下部空間と前記下部収容孔の上部空間とが交わり、その交わりにおいて空間同士がつながっている、請求項１に記載のホルダー。
【請求項３】
前記少なくとも１つの挿入端部が第１挿入端部及び第２挿入端部であること、
前記ストッパー用収容孔がストッパー用第１収容孔及びストッパー用第２収容孔であること、
前記ストッパー固定具用収容部が前記第１収容孔と前記第２収容孔との間に設けられていること、
前記固定具用収容部の空間と前記ストッパー用第１収容孔の空間とが交わり、その交わりにおいて空間同士がつながっていること、
前記固定具用収容部の空間と前記ストッパー用第２収容孔の空間とが交わり、その交わりにおいて空間同士がつながっていること、そして、
前記ストッパー用第１収容孔に前記第１挿入端部を収容し、そして前記ストッパー用第２収容孔に前記第２挿入端部を収容し、更に前記固定具用収容部においてストッパー用固定具を収容した状態において、前記ストッパーの第１挿入端部が、前記ストッパー用固定具の側面と前記ストッパー用第１収容孔の収容面とによって挟み込まれており、更に前記ストッパーの第２挿入端部が、前記ストッパー用固定具の側面と前記ストッパー用第２収容孔の収容面とによって挟み込まれている、請求項１に記載のホルダー。
【請求項４】
前記ストッパー用第１収容孔が上部第１収容孔と下部第１収容孔とによって形成されており、その上部第１収容孔の深さ方向の中心軸とその下部第１収容孔の深さ方向の中心軸とが一致しておらず、そして、前記上部第１収容孔の下部空間と前記下部第１収容孔の上部空間とが交わり、その交わりにおいて空間同士がつながっているか、及び／又は
前記ストッパー用第２収容孔が上部第２収容孔と下部第２収容孔とによって形成されており、その上部第２収容孔の深さ方向の中心軸とその下部第２収容孔の深さ方向の中心軸とが一致しておらず、そして、前記上部第２収容孔の下部空間と前記下部第２収容孔の上部空間とが交わり、その交わりにおいて空間同士がつながっている、請求項３に記載のホルダー。
【請求項５】
前記ヘッド部の長手方向中心軸に対して略垂直方向において、歯科用工具の一方の挿入端部を収容するための歯科工具用収容部が設けられており、
前記歯科工具用収容部と前記ストッパー固定具用収容部とが、その歯科工具用収容部における後方側収容面においてつながっていること、
前記歯科工具用収容部と、前記ヘッド部の前方先端部から前記歯科工具用収容部の前方側収容面に向かって設けられた歯科工具固定具用収容部とが、その歯科工具用収容部における前方側収容面においてつながっていること、及び
歯科用工具の一方の挿入端部を歯科工具用収容部に収容した状態において、歯科工具用固定具の後面と歯科工具用収容部の後方側収容面との間において歯科用工具の把持部が挟み込まれており、これによって歯科用工具の把持部が固定されている、請求項１〜４のいずれか一項に記載のホルダー。
【発明の詳細な説明】
【技術分野】
【０００１】
本発明は、ホルダー本体と、少なくとも１つの挿入端部を有するストッパーと、ストッパー用固定具とを含む、歯科用工具を取り付けるためのホルダーに関する。
【背景技術】
【０００２】
従来から、図１４に示すような、ストッパーを有する振動装置８０が知られている（例えば、特許文献１の図１４〜図１６参照）。
ここで、図１４（ａ）は、振動装置８０を上側から観察した斜視図であり、そして、図１４（ｂ）は、図１４（ａ）に示す振動装置８０のａ−ａ線の断面図である。
振動装置８０は、マンドレル８２と、そのマンドレル８２のヘッドを覆うように設けられた保持チューブ８３とを有している。
ファイル８４及び止め部材８５（ストッパー）は、主に、この保持チューブ８３を使用してマンドレル８２のヘッド部において保持されている。
マンドレル８２のヘッド部及び保持チューブ８３の長手方向に対して垂直方向に設けられたつまみ８６を回すことによって、保持チューブ８３を締め付けて、この締付けによって保持チューブ８３のファイル用孔８７及び止め部材用孔８８を小さくして、最終的にファイル８４及び止め部材８５をマンドレル８２のヘッド部に取り付けている。
【先行技術文献】
【特許文献】
【０００３】
【特許文献１】特開昭５９−１３１３４５号公報
【発明の概要】
【発明が解決しようとする課題】
【０００４】
本発明者は、特許文献１に記載の発明に関して、以下のような欠点を発見した。
図１４に示すような振動装置８０の場合には、つまみ８６を回すことによって保持チューブ８３を締め付けて、この締付けによって保持チューブ８３のファイル用孔８７及び止め部材用孔８８を小さくするという機構を採用しているので、振動装置８０の構造が複雑となってしまう欠点がある。
更に、保持チューブ８３及びつまみ８６をマンドレル８２のヘッド部の外周に設ける必要があるので、マンドレル８２のヘッド部が大型化してしまう欠点がある。また、この大型化によって、狭い口腔内での歯科用ハンドピースの操作性が困難となってしまう欠点もある。
【０００５】
本発明者は、従来のホルダー本体のヘッド部（例えば、特許文献１に記載の発明におけるマンドレル８２のヘッド部（保持チューブ８３を含む））よりも小型で簡易な構造であるにも関わらず、ストッパーがホルダー本体のヘッド部から容易に外れない機構（特に、歯科用ハンドピースの振動の影響を直接受ける場所にストッパーを配置した場合でも、そのストッパーがホルダー本体のヘッド部から容易に外れない機構）を有するホルダーを開発することに成功した。
【課題を解決するための手段】
【０００６】
前記の課題は、本発明による、
ホルダー本体と、少なくとも１つの挿入端部を有するストッパーと、ストッパー用固定具とを含む、歯科用工具を取り付けるためのホルダーであって、
（Ａ）前記ホルダー本体が、
（１）ヘッド部と、
（２）前記挿入端部を前記ヘッド部において収容するための少なくとも１つのストッパー用収容孔と、
（３）前記ストッパー用固定具を収容するためのストッパー固定具用収容部であって、そのストッパー固定具用収容部が前記ストッパー用収容孔と隣接して設けられている、前記ストッパー固定具用収容部と
を含むこと、
前記収容孔が、貫通孔又は非貫通孔であること、
前記固定具用収容部の空間と前記ストッパー用収容孔の空間とが交わり、その交わりにおいて空間同士がつながっていること、
及び
（Ｂ）前記ストッパー用収容孔に前記ストッパーの挿入端部を収容し、そして前記固定具用収容部においてストッパー用固定具を収容した状態において、前記ストッパーの挿入端部が、前記ストッパー用固定具の側面と前記ストッパー用収容孔の収容面とによって挟み込まれていることを特徴とする、前記ホルダーによって解決することができる。
【０００７】
本発明によるホルダーの好ましい態様によれば、
前記挿入端部が上部収容孔と下部収容孔とによって形成されており、その上部収容孔の深さ方向の中心軸とその下部収容孔の深さ方向の中心軸とが一致しておらず、そして、前記上部収容孔の下部空間と前記下部収容孔の上部空間とが交わり、その交わりにおいて空間同士がつながっている。
【０００８】
本発明によるホルダーの別の好ましい態様によれば、
前記少なくとも１つの挿入端部が第１挿入端部及び第２挿入端部であること、
前記ストッパー用収容孔がストッパー用第１収容孔及びストッパー用第２収容孔であること、
前記ストッパー固定具用収容部が前記第１収容孔と前記第２収容孔との間に設けられていること、
前記固定具用収容部の空間と前記ストッパー用第１収容孔の空間とが交わり、その交わりにおいて空間同士がつながっていること、
前記固定具用収容部の空間と前記ストッパー用第２収容孔の空間とが交わり、その交わりにおいて空間同士がつながっていること、そして、
前記ストッパー用第１収容孔に前記第１挿入端部を収容し、そして前記ストッパー用第２収容孔に前記第２挿入端部を収容し、更に前記固定具用収容部においてストッパー用固定具を収容した状態において、前記ストッパーの第１挿入端部が、前記ストッパー用固定具の側面と前記ストッパー用第１収容孔の収容面とによって挟み込まれており、更に前記ストッパーの第２挿入端部が、前記ストッパー用固定具の側面と前記ストッパー用第２収容孔の収容面とによって挟み込まれている。
【０００９】
本発明によるホルダーの別の好ましい態様によれば、
前記ストッパー用第１収容孔が上部第１収容孔と下部第１収容孔とによって形成されており、その上部第１収容孔の深さ方向の中心軸とその下部第１収容孔の深さ方向の中心軸とが一致しておらず、そして、前記上部第１収容孔の下部空間と前記下部第１収容孔の上部空間とが交わり、その交わりにおいて空間同士がつながっているか、及び／又は
前記ストッパー用第２収容孔が上部第２収容孔と下部第２収容孔とによって形成されており、その上部第２収容孔の深さ方向の中心軸とその下部第２収容孔の深さ方向の中心軸とが一致しておらず、そして、前記上部第２収容孔の下部空間と前記下部第２収容孔の上部空間とが交わり、その交わりにおいて空間同士がつながっている。
【００１０】
本発明によるホルダーの別の好ましい態様によれば、
前記ヘッド部の長手方向中心軸に対して略垂直方向において、歯科用工具の一方の挿入端部を収容するための歯科工具用収容部が設けられており、
前記歯科工具用収容部と前記ストッパー固定具用収容部とが、その歯科工具用収容部における後方側収容面においてつながっていること、
前記歯科工具用収容部と、前記ヘッド部の前方先端部から前記歯科工具用収容部の前方側収容面に向かって設けられた歯科工具固定具用収容部とが、その歯科工具用収容部における前方側収容面においてつながっていること、及び
歯科用工具の一方の挿入端部を歯科工具用収容部に収容した状態において、歯科工具用固定具の後面と歯科工具用収容部の後方側収容面との間において歯科用工具の把持部が挟み込まれており、これによって歯科用工具の把持部が固定されている。
【００１１】
本明細書において、位置関係を示す用語（例えば、前方、前面、後方、側面、上部、及び下部）は、特に断らない限り、ハンドピースを通常の方法で使用している状態での位置関係について用いるものとする。具体的には、歯科用ハンドピース本体に本発明によるホルダーを取り付けて、更にそのホルダーに歯科用工具を取り付けた状態において、ホルダーが存在する方向が前方であり、歯科用ハンドピース本体が存在する方向が後方であり、そして、歯科用工具が存在する方向が下方である。
【発明の効果】
【００１２】
本発明によるホルダーは、従来のホルダー本体のヘッド部よりも小型で簡易な構造であり、更に、ストッパーがホルダー本体のヘッド部から容易に外れない機構（特に、歯科用ハンドピースの振動の影響を直接受ける場所にストッパーを配置した場合でも、そのストッパーがホルダー本体のヘッド部から容易に外れない機構）を有する。
【図面の簡単な説明】
【００１３】
【図１】本発明によるホルダー、歯科用ハンドピース本体、及び歯科用工具を上側から観察した斜視図である。
【図２】本発明によるホルダーの分解斜視図である。
【図３】本発明によるホルダーの分解断面側面図である。
【図４】ホルダー本体の一部切欠き端面図である。
【図５】ストッパーの態様を示す斜視図である。
【図６】本発明によるホルダーの作り方を示す斜視図である。
【図７】本発明によるホルダーの一部切欠き断面側面図である。
【図８】本発明によるホルダーの第１の実施態様におけるストッパー用第１収容孔及びストッパー用第２収容孔とストッパー固定具用収容部との関係を示す図である。
【図９】本発明によるホルダーの第１の実施態様におけるストッパー用第収容孔にストッパーの挿入端部を収容した状態を示す図である。
【図１０】本発明によるホルダーの第１の実施態様におけるストッパー用第収容孔を非貫通孔にした状態を示す端面図である。
【図１１】本発明によるホルダーの第２の実施態様におけるストッパー用第１収容孔及びストッパー用第２収容孔とストッパー固定具用収容部と関係を示す図である。
【図１２】本発明によるホルダーの第２の実施態様におけるストッパー用第収容孔にストッパーの挿入端部を収容した状態を示す図である。
【図１３】本発明によるホルダーの第３の実施態様におけるストッパー用第１収容孔及びストッパー用第２収容孔とストッパー固定具用収容部との関係を示す図である。
【図１４】従来の振動装置の説明図である。
【発明を実施するための形態】
【００１４】
以下、本発明によるホルダーを添付図面に沿って説明するが、本発明は、この添付図面に示す態様に限定されるものではない。
【００１５】
本発明によるホルダー１０は、図１に示すように、振動発生装置を内蔵した歯科用ハンドピース本体６０の前方端部に取付けて使用される。このホルダー１０は、把持部６４及び刃部６６を含む歯科用工具６２を保持するためのものである。歯科用ハンドピース本体６０で発生させた振動は、本発明のホルダー１０を介して、歯科用工具６２に伝達される。歯科用工具６２は、ホルダー１０に設けた歯科工具用収容部２０に挿入され保持される。
【００１６】
本発明によるホルダー１０は、図２に示すように、主に、ホルダー本体１と、根尖穿孔などの事故を防止するためのストッパー４と、ストッパー用固定具５と、歯科工具用固定具６とを含む。これらの部品は、公知の材料及び公知の方法を使用して製造することができる。
【００１７】
ホルダー本体１は、ネック部１４と、そのネック部１４の前方端部に設けられたヘッド部１２と、そのネック部１４の後方端部に設けられた連結部１６とを含む。なお、連結部１６は、図１に示す歯科用ハンドピース本体６０の前方端部に取付けるためのものである。
ヘッド部１２には、図２に示すように、ストッパー４の挿入端部を収容するためのストッパー用第１収容孔３０及びストッパー用第２収容孔３２が設けられている。このストッパー用第１収容孔３０及びストッパー用第２収容孔３２は、ホルダー１０の長手方向中心軸（図３の一点鎖線Ａ）に対して略垂直方向に（すなわち、ヘッド部１２の下側外表面から上部側にかけて）設けられている。
更に、ヘッド部１２には、図３に示すように、歯科工具用収容部２０と、ストッパー用固定具５を収容するためのストッパー固定具用収容部２２と、歯科工具用固定具６を収容するための歯科工具固定具用収容部２４とが設けられている。
歯科工具用収容部２０は、ホルダー１０の長手方向中心軸に対して略垂直方向に、下側外表面から上部にかけて設けられている。歯科工具用収容部２０は、貫通孔又は（上部のみが閉鎖されている）非貫通孔のいずれであってもよい。
【００１８】
ストッパー固定具用収容部２２は、歯科工具用収容部２０の後方側収容面２０ｂからヘッド部１２の後方側にかけて設けられており、そして、ストッパー固定具用収容部２２の長手方向中心軸は、ホルダー１０の長手方向中心軸に対して略水平方向に設けられている（特には、それらの中心軸を略一致させるように設けられている）。すなわち、ストッパー固定具用収容部２２の長手方向中心軸は、歯科工具用収容部２０の深さ方向中心軸（図３の一点鎖線Ｂ）に対して略垂直である。また、歯科工具用収容部２０の空間とストッパー固定具用収容部２２の空間とは、歯科工具用収容部２０の後方側収容面２０ｂにおいてつながっている。
【００１９】
歯科工具固定具用収容部２４は、ヘッド部１２の前方先端部から歯科工具用収容部２０の前方側収容面２０ａにかけて設けられており、そして、歯科工具固定具用収容部２４の長手方向中心軸がホルダー１０の長手方向中心軸に対して略水平方向に設けられている（特には、それらの中心軸を略一致させるように設けられている）。すなわち、歯科工具固定具用収容部２４の長手方向中心軸は、歯科工具用収容部２０の深さ方向中心軸に対して略垂直である。また、歯科工具用収容部２０の空間と歯科工具固定具用収容部２４の空間とは、歯科工具用収容部２０の前方側収容面２０ａにおいてつながっている。
【００２０】
ホルダー本体１のヘッド部１２の外観形状は、ストッパー４と、ストッパー用固定具５と、歯科工具用固定具６とを主に保持することができることが可能であれば、その形状は特に限定されないが、略角柱状（例えば、略四角柱状、略六角柱状）又は略円柱状（例えば、略真円柱状、略楕円柱状）の形状が好ましい。
【００２１】
ストッパー用固定具５の外観形状は、略円柱状（例えば、略真円柱状、略楕円柱状）の形状が好ましい。
ストッパー固定具用収容部２２の収容面の形状は、ストッパー用固定具５の側面５２の外周形状と略同一であることが好ましい。
ストッパー用固定具５の前面５０には、歯科用工具６２を歯科工具用収容部２０に固定するための歯科工具用固定突起を更に設けることができる。
歯科用工具６２の歯科工具用収容部２０への固定は、ストッパー用固定具５の前面５０それ自体を使用することも、又は歯科工具用固定突起を使用することもできる。
【００２２】
歯科工具用固定具６は、歯科用工具６２を固定するための公知の固定具（例えば、ネジ）を使用することができる。
歯科工具固定具用収容部２４の収容面の形状は、歯科工具用固定具６の外周形状と略同一であるか、又は歯科工具用固定具６と螺合可能な形状とすることが好ましい。
【００２３】
ストッパー固定具用収容部２２は、図４に示すように、ストッパー用第１収容孔３０とストッパー用第２収容孔３２との間に設けられている。
また、ストッパー固定具用収容部２２の空間とストッパー用第１収容孔３０の空間とは隣接し交わり、その交わりにおいて空間同士がつながっている。更に、ストッパー固定具用収容部２２の空間と前記ストッパー用第２収容孔３２の空間とは隣接し交わり、その交わりにおいて空間同士がつながっている。
【００２４】
ストッパー固定具用収容部２２の直径方向の長さ（図４の矢印Ｃ）は、ストッパー用第１収容孔３０とストッパー用第２収容孔３２との距離（すなわち、図５に示すストッパー４の第１挿入端部４０と第２挿入端部４２との間の距離）によって、適宜変更することができる。
ストッパー固定具用収容部２２の長手方向中心軸の距離（図４の矢印Ｄ）は、少なくとも、歯科工具用収容部２０の後方側収容面２０ｂからストッパー用収容孔３０，３２の後方側収容面までの距離（図４の矢印Ｅ）があればよい。もちろん、図４に示すように、ストッパー固定具用収容部２２の長手方向中心軸の距離を、ストッパー用収容孔３０，３２の後方側収容面よりも更に後方側に延長（図４の矢印Ｆ）することもできる。
【００２５】
ストッパー４は、公知のストッパーを使用することができる。
例えば、ストッパー４は、図５に示すように、略円柱状の第１挿入端部４０と略円柱状の第２挿入端部４２と防止部４４とを含む。防止部４４の一方の端部は第１挿入端部４０と結合しており、そして、防止部４４の他方の端部は第２挿入端部４２と結合している。
ストッパー４の外観形状は、図５（ａ）に示すようにＵ字形状にしたり、図５（ｂ）に示すようにＶ字形状にしたり、又は、図５（ｃ）に示すように１組のＬ字形状にしたりすることができる。
図５（ａ）及び図５（ｂ）に示すストッパー４の場合には、防止部４４は一体型である。また、図５（ｃ）に示すストッパー４の場合には、防止部４４は非一体型である（すなわち、防止部４４は、第１防止部４４ａと第１防止部４４ｂとに分かれている）。
第１挿入端部４０と第２挿入端部４２とは、ストッパー４をホルダー１０に取り付けて前方から観察した場合には、それらの挿入端部の長手方向（図５の矢印Ｇ）の中心軸が互に平行であり、そこから視線を９０°回転させた場合には（すなわち、側方から観察した場合には）、それらの挿入端部の長手方向の中心軸は略一致している。
【００２６】
本発明によるホルダー１０は、ホルダー本体１とストッパー４とストッパー用固定具５と歯科工具用固定具６とから、図６及び図７に示すように、以下の（１）〜（４）の工程によって作ることができる。
（１）ホルダー本体１に設けたストッパー用第１収容孔３０及びストッパー用第２収容孔３２に対して、ストッパー４の第１挿入端部４０及び第２挿入端部４２をそれぞれ挿入する。
（２）ストッパー用固定具５を、歯科工具固定具用収容部２４又は歯科工具用収容部２を使用して、ストッパー固定具用収容部２２に圧入（収容）する。
（３）歯科用工具６２を歯科工具用収容部２０に収容する。
（４）歯科工具用固定具６を歯科工具固定具用収容部２４に収容する。この際に、歯科工具用固定具６の後面及び／又は歯科工具用収容部２０の前方側収容面２０ａと、ストッパー用固定具５の前面（又は、ストッパー用固定具５の前面において歯科工具用固定突起が設けられている場合には、その歯科工具用固定突起）及び／又は歯科工具用収容部２０の後方側収容面２０ｂとの間に歯科用工具６２の把持部６４が挟み込まれるようにする。この挟み込みよって、歯科用工具６２の把持部６４が歯科工具用収容部２０において固定される。
【００２７】
ヘッド部１２の下側外表面とストッパー４の防止部４４との間（図７の矢印Ｈ）は、好ましくは７ｍｍ以下、より好ましくは５ｍｍ以下である。
【００２８】
ストッパー用固定具５によってストッパー４を固定する方法についての原理を以下に説明する。
なお、図８〜図１３は、上記原理を説明することを目的とする模式図である。
【００２９】
図８（ａ）は、本発明によるホルダーの第１の実施態様におけるストッパー固定具用収容部２２とストッパー用第１収容孔３０及びストッパー用第２収容孔３２とを仮想的に取り外した状態を示す斜視図であり、そして、図８（ｂ）は、図８（ａ）に示す図に対して更にホルダー本体１のヘッド部１２を加えたＩ−Ｉ線断面図である。
ストッパー用第１収容孔３０及びストッパー用第２収容孔３２は、それぞれ、直線状に貫通している。
図８（ｂ）に示すように、ストッパー固定具用収容部２２の空間とストッパー用第１収容孔３０の空間とが交わり、その交わりにおいて空間同士がつながっている（図８（ｂ）の破線で囲まれた部分Ｊ）。また、ストッパー固定具用収容部２２の空間とストッパー用第２収容孔３２の空間とが交わり、その交わりにおいて空間同士がつながっている（図８（ｂ）の破線で囲まれた領域Ｋ）。
この交わり合う部分Ｋについての短手方向の長さ（図８（ｂ）の矢印Ｌ）及び深さ方向の長さ（図８の矢印Ｎ）は、ストッパー固定具用収容部２２に収容するストッパー用固定具５についての側面外周形状によって決定される。
なお、この交わり合う部分Ｋについての短手方向の長さは、ストッパー用第２収容孔３２の直径方向の長さ（図８（ｂ）の矢印Ｍ）に対して、好ましくは１／５以下、更に好ましくは１／１０以下である。
交わり合う部分Ｊの短手方向及び深さ方向の長さの定義は、それぞれ、交わり合う部分Ｋの短手方向及び深さ方向の長さの定義と同様である。
【００３０】
図９は、ストッパー用第１収容孔３０にストッパー４の第１挿入端部４０を収容し、そしてストッパー用第２収容孔３２に第２挿入端部４２を収容し、更に固定具用収容部２２においてストッパー用固定具５を収容した状態を示す。
ストッパー４の第２挿入端部４２は、ストッパー用固定具５の側面５２とストッパー用第２収容孔３２の収容面３３とによって挟み込まれている。すなわち、ストッパー４の第２挿入端部４２は、図９に示す矢印Ｏの力によって固定されている。
ストッパー４の第２挿入端部４２が長手方向に弓なり（図９の矢印Ｑ）となるように、ストッパー用第２収容孔３２の直径方向の長さ（図９の矢印Ｍ）を、ストッパー４の第２挿入端部４２の直径方向の長さ（図９の矢印Ｐ）よりも長くすることが好ましい。
ストッパー用第２収容孔３２の直径方向の長さとストッパー４の第２挿入端部４２の直径方向との比率は、ストッパー４の第２挿入端部４２の弓なりに程度によって、適宜変更することができる。
ストッパー用第１収容孔３０にストッパー４の第１挿入端部４０を収容した場合についての原理は、ストッパー用第２収容孔３２に第２挿入端部４２を収容した場合の原理と同様である。
【００３１】
図８〜図９に示す態様では、ストッパー用第１収容孔３０及びストッパー用第２収容孔３２は貫通孔であるが、図１０に示すように、それぞれの上端部を閉鎖した非貫通孔とすることもできる。もちろん、ストッパー用収容孔の一方を貫通孔として、他方を非貫通孔とすることもできる。
【００３２】
図１１は、本発明によるホルダーの第２の実施態様を示す斜視図である。第２の実施態様では、第１の実施態様においてストッパー用第１収容孔３０及びストッパー用第２収容孔３２の形状を変更した。
第２の実施態様では、ストッパー用第１収容孔３０は、上部第１収容孔３０ａ及び下部第１収容孔３０ｂによって形成されている。また、ストッパー用第２収容孔３２は、上部第２収容孔３２ａ及び下部第２収容孔３２ｂによって形成されている。
下部第１収容孔３０ｂは、上部第１収容孔３０ａよりも、ホルダー本体１のヘッド部１２の左外表面側に配置されている。下部第２収容孔３２ｂは、上部第２収容孔３２ａよりも、ホルダー本体１のヘッド部１２の右外表面側に配置されている。
上部第１収容孔３０ａ及び上部第２収容孔３２ａは、ホルダー本体１のヘッド部１２の上側外表面から孔を開けることによって形成することができる。そして、下部第１収容孔３０ｂ及び上下部第２収容孔３２ｂは、ヘッド部１２の下側外表面から孔を開けることによって形成することができる。
【００３３】
上部第１収容孔３０ａの下部空間と下部第１収容孔３０ｂの上部空間とは交わり、その交わりにおいて空間同士がつながっている（図１１（ｂ）の破線で囲まれた領域Ｗ１）。また、上部第２収容孔３２ａの下部と下部第２収容孔３２ｂの上部とは交わり、その交わりにおいて空間同士がつながっている（図１１（ｂ）の破線で囲まれた領域Ｗ２）。
この交わり合いは、具体的には、以下の通りである。
上部第１収容孔３０ａの深さ方向の中心軸（図１１（ｂ）の一点鎖線Ｒ１）と下部第１収容孔３０ｂの深さ方向の中心軸（図１１（ｂ）の一点鎖線Ｓ１）とは一致させていない。また、上部第２収容孔３２ａの深さ方向の中心軸（図１１（ｂ）の一点鎖線Ｒ２）と下部第２収容孔３２ｂの深さ方向の中心軸（図１１（ｂ）の一点鎖線Ｓ２）とは一致させていない。
上部収容孔の深さ方向の中心軸と下部収容孔の深さ方向の中心軸とを一致させていないので、上部収容孔及び下部収容孔に収容されたストッパーの先端部は、これらの収容孔に挿入するだけで、この収容孔に沿って自然に曲がるようになる（図１１（ｂ）の矢印Ｖ）。
（１）上部第１収容孔３０ａの深さ方向の中心軸と上部第２収容孔３２ａの深さ方向の中心軸との距離（図１１（ｂ）の矢印Ｔの長さ）と（２）下部第１収容孔３０ｂの深さ方向の中心軸と下部第２収容孔３２ｂの深さ方向の中心軸との距離（図１１（ｂ）の矢印Ｕの長さ）との差（ピッチ差）は、０．３ｍｍ以下が好ましい。０．３ｍｍ以下であれば、ストッパーをストッパー用収容孔に収容することが容易となり、量産性が良くなるからである。
【００３４】
ストッパー固定具用収容部２２の中心点Ｘと、その中心点Ｘからホルダー本体１のヘッド部１２の下側外表面に向かって上部第１収容孔３０ａの深さ方向中心軸に対して平行となるように延ばした仮想直線がストッパー固定具用収容部２２の収容面と接触する点との距離（図１１（ｂ）の矢印Ｙ）に対して、上部第１収容孔３０ａの下部先端３０Ｔ１と、上記中心点Ｘから上部第１収容孔３０ａの深さ方向中心軸に対して垂直方向になるように伸ばした仮想直線が上部第１収容孔３０ａの深さ方向中心軸と接触する点との距離（図１１（ｂ）の矢印Ｙ１）は、０．５／１．０〜０．８／１．０（図１１（ｂ）の矢印Ｙ１の距離／図１１（ｂ）の矢印Ｙの距離）であることが好ましい。
ストッパー固定具用収容部２２の中心点Ｘと、その中心点Ｘからホルダー本体１のヘッド部１２の上側外表面に向かって下部第１収容孔３０ｂの深さ方向中心軸に対して平行となるように延ばした仮想直線がストッパー固定具用収容部２２の収容面と接触する点との距離（図１１（ｂ）の矢印Ｚ）に対して、下部第１収容孔３０ｂの上部先端３０Ｔ２と、上記中心点Ｘから下部第１収容孔３０ｂの深さ方向中心軸に対して垂直方向になるように伸ばした仮想直線が下部第１収容孔３０ｂの深さ方向中心軸と接触する点との距離（図１１（ｂ）の矢印Ｚ１）は、０．５／１．０〜０．８／１．０（図１１（ｂ）の矢印Ｚ１の距離／図１１（ｂ）の矢印Ｚの距離）であることが好ましい。
特に、下部第１収容孔３０ｂの上部先端３０Ｔ２を上記の位置に配置することによって、ストッパーの先端部を適切に曲げること（すなわち、ストッパーを収容孔にしっかり固定すること）ができる。
上部第２収容孔３２ａの下部先端及び下部第２収容孔３２ｂの上部先端についても、上記と同様であることが好ましい。
【００３５】
図１２は、ストッパー用第１収容孔３０にストッパー４の第１挿入端部４０を収容し、そしてストッパー用第２収容孔３２に第２挿入端部４２を収容し、更に固定具用収容部２２においてストッパー用固定具５を収容した状態を示す。
ストッパー４の第２挿入端部４２の先端部は、上部第２収容孔３２ａの下部と下部第２収容孔３２ｂの上部との交わり（図１１（ｂ）の破線で囲まれた領域Ｗ２）によってその先端部が曲げられている。これによって、第２挿入端部４２の先端部は、下部第２収容孔３２ｂの収容面３３に向かって強く押し付けられる。すなわち、第２挿入端部４２の先端部は、ストッパー用固定具５の側面５２と下部第２収容孔３２ｂの収容面３３とによって強く挟まれ（図１２の矢印ＡＡ）、更に下部第２収容孔３２ｂの上部先端領域３０Ｔ２とストッパー用固定具５とによっても強く挟まれる（図１２の矢印ＢＢ）こととなる。すなわち、この２つの挟み込みによって、第２挿入端部４２の先端部は、上部第２収容孔３２ａ及び下部第２収容孔３２ｂにおいて強く固定されることとなる。
ストッパー用第１収容孔３０にストッパー４の第１挿入端部４０を収容した場合についての原理は、ストッパー用第２収容孔３２に第２挿入端部４２を収容した場合の原理と同様である。
【００３６】
図１３（本発明によるホルダーの第３の実施態様）に示すように、上部第１収容孔３０ａを下部第１収容孔３０ｂよりも、ホルダー本体１のヘッド部１２の左外表面側に配置させることもできる。また、上部第２収容孔３２ａを下部第２収容孔３２ｂよりも、ホルダー本体１のヘッド部１２の右外表面側に配置させることもできる。
【００３７】
ストッパー用収容孔を１つ（すなわち、ストッパー用第１収容孔３０又はストッパー用第２収容孔３２のうちのいずれか１つ）とすることもできる。その場合には、１つの挿入端部のみを有するストッパー（例えば、図５（ｃ）に示すような１組のＬ字形状のストッパーのうちの１個のＬ字形状のストッパー）を使用することとなる。
【符号の説明】
【００３８】
１・・・ホルダー本体；４・・・ストッパー；５・・・ストッパー用固定具；
６・・・歯科工具用固定具；１０・・・ホルダー；１２・・・ヘッド部；
１４・・・ネック部；１６・・・連結部；
２０・・・歯科工具用収容部；２０ａ・・・歯科工具固定具用収容部の前方側収容面；
２０ｂ・・・歯科工具固定具用収容部の後方側収容面；
２２・・・ストッパー固定具用収容部；２４・・・歯科工具固定具用収容部；
３０・・・ストッパー用第１収容孔；３０ａ・・・上部第１収容孔；
３０ｂ・・・下部第１収容孔；３２・・・ストッパー用第２収容孔；
３２ａ・・・上部第２収容孔；３２ｂ・・・下部第２収容孔；
３３・・・ストッパー用第２収容孔の収容面；４０・・・第１挿入端部；
４２・・・第２挿入端部；４４・・・防止部；５０・・・ストッパー用固定具の前面；
５２・・・ストッパー用固定具の側面；６０・・・歯科用ハンドピース本体；
６２・・・歯科用工具；６４・・・把持部；６６・・・刃部；
８０・・・従来の振動装置；８２・・・マンドレル；８３・・・保持チューブ；
８４・・・ファイル；８５・・・止め部材；８６・・・つまみ；
８７・・・ファイル用孔；８８・・・止め部材用孔；
【図１】
2020146092.tif 000003
【図２】
2020146092.tif 000004
【図３】
2020146092.tif 000005
【図４】
2020146092.tif 000006
【図５】
2020146092.tif 000007
【図６】
2020146092.tif 000008
【図７】
2020146092.tif 000009
【図８】
2020146092.tif 000010
【図９】
2020146092.tif 000011
【図１０】
2020146092.tif 000012
【図１１】
2020146092.tif 000013
【図１２】
2020146092.tif 000014
【図１３】
2020146092.tif 000015
【図１４】
2020146092.tif 000016